(57)【特許請求の範囲】
【請求項１】
可変直径ナイフロールの軸線と平行に延びると共に直径面上で半径方向に配置されていて、半径方向内外方に調整自在なナイフキャリヤに取り付けられたナイフを有する可変直径ナイフロールにおいて、
ナイフキャリヤは、対をなして配置された２つの拡張式グリルで支持されており、各拡張式グリルは互いに継手によって関節連結された２つのリンクを有し、ナイフキャリヤは、各拡張式グリルの２つのリンクの半径方向外側端部を互いに連結する継手に又は２つのリンクのうち、これらを互いに連結する継手を越えて半径方向外方に延びる長い方のリンクの外側端部に関節連結され、
回転自在に設けられた中空シャフトと、この中空シャフト内で軸方向摺動運動自在に案内されるスライダ装置と、スライダ装置を駆動する設定用駆動装置とを有し、
各拡張式グリルの２つのリンクのうちの一方のリンクの内側端部は、中空シャフトに枢着され、他方のリンクの内側端部は、軸方向調整自在となるようにスライダ装置に取り付けられていることを特徴とするナイフロール。
【請求項２】
設定用駆動装置は、スライダ装置に連結された親ネジ用ナットと、スライダ装置中へねじ込み可能な親ネジとから成ることを特徴とする請求項１記載のナイフロール。
【請求項３】
親ネジは、中空シャフトに対して軸方向に保持され、保持又は拘束手段の解除後、中空シャフトに対して回転できることを特徴とする請求項２記載のナイフロール。
【請求項４】
親ネジは、中空シャフト内で自由回転できるよう軸受に取り付けられ、親ネジの終端部には、ブッシュが親ネジに対して回転不能であるが、軸方向摺動自在に取り付けられており且つ環状肩を有し、また、前記親ネジの終端部を包囲していて、一端がブッシュに当接し、他端が親ネジに装着又は螺合状態にあるナットに当接している圧縮バネを有し、この圧縮ばねの作用を受けて、ブッシュの環状肩は、中空シャフト又は中空シャフトに固定されたハウジング部分の環状カウンター肩にブレーキ作用を及ぼした状態で当接し、更に、ブッシュを回転不能状態に保持されたブレーキ作用位置から離脱させるための手段が設けられていることを特徴とする請求項２又は３記載のナイフロール。
【請求項５】
前記ブッシュ離脱及び保持手段は、加圧下の流体で作動され、フレームに対して固定されたピストンシリンダユニットから成り、ピストンシリンダユニットのピストンロッドは、爪を備えた非回転形結合部材を有し、爪は、ブッシュの受入れ手段に嵌まり込んでブッシュを回転不能に保持し、ブッシュを押してブレーキ作用位置から離脱させることを特徴とする請求項４記載のナイフロール。
【請求項６】
ブレーキリングが、環状肩と環状カウンター肩との間に配置されていることを特徴とする請求項３〜５のうち一つに記載のナイフロール。
【請求項７】
中空シャフトは、制御自在なステップモータにより駆動されるようになっていることを特徴とする請求項１〜6のうち一つに記載のナイフロール。
【請求項８】
ナイフキャリヤを支持する各拡張式グリルが、中空シャフトの直径面の回りに左右相称に配置されれていることを特徴とする請求項１〜７のうち一つに記載のナイフロール。
【請求項９】
ナイフが、ナイフバーに固着され、ナイフバーは、ナイフキャリヤに対をなして回転自在に取り付けられた把持レバーによってナイフキャリヤに解除自在に連結されていることを特徴とする請求項１〜８のうち一つに記載のナイフロール。
【請求項１０】
把持レバーは、ナイフキャリヤに枢着され、各々が圧縮バネにより開き方向に付勢されているベルクランクから成り、ベルクランクは、把持レバー保持手段がその係止位置で作用する内方へ向いたアームを有することを特徴とする請求項９記載のナイフロール。
【発明の詳細な説明】
本発明は、可変直径ナイフロールに関し、この可変直径ナイフロールは、その軸線と平行に延びると共に直径面上で全体的に半径方向に配置されていて、半径方向内外方に調整自在なナイフキャリヤに取り付けられたナイフを有する。
横断方向切離し用カット（切れ目）又はミシン目の列の形のカット（以下、単に「ミシン目」という）を入れるナイフロールは、種々の異なる設計例で知られている。本明細書では、「ナイフ」という用語を、スムースカットを入れるナイフとミシン目切取り線を入れるナイフとの両方をさすものとして用いる。好ましくは、袋用ブランクの形態のブランクの種々のフォーマットに応じて、ペーパーウェブ又はプラスチックウェブに異なる距離を置いて横断方向カット、特に横断方向ミシン目又は切取り線を入れる必要がある。したがって、ナイフロールを種々のフォーマットに合わせて迅速且つ簡単に設定する手段が要望されている。
それ故、本発明の目的は、種々のフォーマットに、換言すると、連続供給されるウェブに入れられる切れ目の種々の離隔距離に合わせて、迅速且つ簡単に設定しなおすことができる上述した形式のナイフロールを提供することにある。
本発明によれば、この目的は、可変直径ナイフロールの軸線と平行に延びると共に直径面上で半径方向に配置されていて、半径方向内外方に調整自在なナイフキャリヤに取り付けられたナイフを有する可変直径ナイフロールにおいて、ナイフキャリヤは、対をなして配置された２つの拡張式グリルで支持されており、各拡張式グリルは互いに継手によって関節連結された２つのリンクを有し、ナイフキャリヤは、各拡張式グリルの２つのリンクの半径方向外側端部を互いに連結する継手に又は２つのリンクのうち、これらを互いに連結する継手を越えて半径方向外方に延びる長い方のリンクの外側端部に関節連結され、回転自在に設けられた中空シャフトと、この中空シャフト内で軸方向摺動運動自在に案内されるスライダ装置と、スライダ装置を駆動する設定用駆動装置とを有し、各拡張式グリルの２つのリンクのうちの一方のリンクの内側端部は、中空シャフトに枢着され、他方のリンクの内側端部は、軸方向調整自在となるようにスライダに取り付けられていることを特徴とするナイフロールによって達成される。ナイフキャリヤの半径方向距離、従って、横断方向ミシン目切取り線によってウェブから切り取られ、又はウェブから切り離されるブランクのフォーマットは、本発明のナイフロールを用いると、拡張式グリルの一組のリンクの内側継手を軸方向に調整するだけで簡単に設定できる。
ナイフロールシャフトは、中空シャフトであるのが有利であり、スライダ装置が中空シャフト内で軸方向摺動運動自在に案内され、別の組をなすリンクの調整自在な内側継手は、中空シャフト上に設けられ、スライダ装置は、設定用駆動装置を備える。
設定用駆動装置は、スライダ装置に連結された親ネジ用ナットと、スライダ装置中へねじ込み可能な親ネジとから成るのが良い。
ナイフキャリヤの半径方向調整を行うために、親ネジは、中空シャフトに対し軸方向に運動できない状態で、保持又は拘束手段の解除後、中空シャフトに対して回転できるよう保持されるのが良い。
本発明の好ましい特徴によれば、親ネジは、中空シャフト内で自由回転できるよう軸受に取り付けられ、親ネジの終端部には、ブッシュが親ネジに対して回転不能であるが、軸方向摺動自在に取り付けられており且つ環状肩を有し、また、前記親ネジの終端部を包囲していて、一端がブッシュに当接し、他端が親ネジに装着又は螺合状態にあるナットに当接している圧縮バネを有し、この圧縮ばねの作用を受けて、ブッシュの環状肩は、中空シャフト又は中空シャフトに固定されたハウジング部分の環状カウンター肩にブレーキ作用を及ぼした状態で当接し、更に、ブッシュを回転不能状態に保持されたブレーキ作用位置から離脱させるための手段が設けられている。本発明のこの特徴により、ナイフキャリヤの簡単な調整が可能になる。というのは、ブッシュを押し込んで回転不能に保持した状態で、中空シャフトを回転させると、親ネジ用ナットを介してスライダ装置が中空シャフト中をシフトし、ナイフキャリヤが所望の仕方で設定されるようになるからである。
ブッシュ離脱及び保持手段は、加圧下の流体で作動され、フレームに対して固定されたピストンシリンダユニットから成るのが良く、ピストンシリンダユニットのピストンロッドは、爪を備えた非回転形結合部材を有し、爪は、ブッシュの受入れ手段に嵌まり込んでブッシュを回転不能に保持し、ブッシュを押してブレーキ作用位置から離脱させる。ブレーキ作用を増強させるために、高摩擦材料製のブレーキリングを環状肩と環状環状カウンター肩との間に配置するのが有利である。
本発明の別の好ましい特徴は、中空シャフトが、制御自在なステップモータにより駆動されることにある。このステップモータは、ナイフキャリヤの設定のため、中空シャフトを、結合部材の爪がブッシュの受入れ手段と整列する位置へ回転させるようコンピュータによって操作されるのが良い。爪をいったんブッシュの受入れ手段に嵌め込み、そして爪がブッシュを押してそのブレーキ作用位置からいったん離脱させると、ナイフバーの任意所望の半径方向設定値を得るために、コンピュータを用いて中空シャフトを所定の角度、回転させることができる。
また、ナイフロールシャフト上に複数のナイフキャリヤを設けることも当然可能である。好ましくは、ナイフキャリヤを支持する各拡張式グリルが、中空シャフトの直径面の回りに左右相称に配置されている。かかる２つのナイフキャリヤに関して９０°だけずらすと、さらに２つのナイフキャリヤを同一の調整自在な態様で配置することが可能である。
本発明の特徴の一部として、ナイフが、ナイフバーに固着され、ナイフバーは、ナイフキャリヤに対をなして回転自在に取り付けられた把持レバーによってナイフキャリヤに解除自在に連結されている。この構成により、ナイフがなまくらになったり、又は別形式の切れ目、即ちスムースカット又はミシン目が所望される場合にナイフの迅速な交換が可能になる。
把持レバーは、ナイフキャリヤに枢着され、各々が圧縮バネにより開き方向に付勢されているベルクランクから成るのが良く、ベルクランクは、把持レバー保持手段がその係止位置で作用する内方へ向いたアームを有する。この手段は、ナイフキャリヤ又はスライダ中を軸方向摺動状態で動く係止ロッドから成るのが良く、係止ロッドは、把持レバーを係止するために、把持レバーの内方へ向いたアームに設けられた傾斜面上に乗り、係止解除のために、押されて傾斜面から離れることができるカム又は回転ランナーを備える。スライダは、バネにより係止解除方向に付勢されており、その係止解除位置では、完全中央通り越し位置に回動自在に移動させたレバーによって解除自在に保持される。
ナイフロールと同様な態様で、走行中のウェブにグルー領域又は横断方向に延びるグルーパッチを設けることを目的とするグルー塗布ロールを設計できる。したがって、本発明のさらに別の実施形態では、ナイフキャリヤがグルー塗布バー用のキャリヤを支持する手段であるようなユニットが提供される。以下に、本発明の一実施形態を図面を参照して詳細に説明する。
図１は、供給ロールからのペーパーウェブの引き出しで始まる紙の多層筒状部材の製造装置の概略側面図であり、可変直径ナイフロールが採用されていることを示す図である。
図２は、ナイフロールの部分断面側面図である。
図３は、図２の円で囲んだ部分の拡大図である。
図４は、ナイフキャリヤの断面図であり、ナイフ支持バーがキャリヤ上に把持状態で保持されている図である。
図５は、ナイフキャリヤの図４の矢印Ｖの方向に見た部分断面平面図である。
図６は、図４のVI−VI線に沿って見た断面図である。
紙の多層筒状ブランクを製造するための図１に示す装置は、４つのタンデム配置のフレームを有し、これらフレームには紙ロールが回転自在に支持され、これらフレームの各々からペーパーウェブが引き出され、これらペーパーウェブから多層筒状ブランクが作られる。
図１では、フレーム１が１つだけ示されており、この中には紙のロール２が自由回転自在に支持されていて、ペーパーウェブ５を曲げローラ３，４上に引き出す又は巻き出すことができるようになっている。紙ロール２上には、重り６の付いたベルト７が掛けられ、このベルトは、フレームに対して固定関係に保持されていて、紙ロール２にブレーキをかけるのに役立つ。巻出し装置は公知設計のものなので、本明細書では詳しくは説明しない。ペーパーウェブ５′，５″，５′″は、別の紙ロール（図示せず）から引き出され、これらペーパーウェブは巻き出しのために使用されるフレーム内に同一方式で設けられている。ペーパーウェブ５〜５′″は、ピンロール及びナイフロール又はカッターロールが回転自在に設けられたフレーム又はスタンド８内に引き入れられ、これらピンロール及びナイフロールによってペーパーウェブに横方向にミシン目が入れられる。カッターウェブはすべて同一の方法で加工されるので、以下の説明では、ウェブ５を加工するロールだけを説明する。
ペーパーウェブ５は、動力駆動式送り手段を用いてフレーム８内に引き入れられ、この動力駆動式送り手段は、動力駆動式送りローラ９及び送りロール９に対するウェブの巻掛け角度を大きくする遊びロール１０を有する。送りロール９，１０から来たペーパーウェブは、カウンタースラストロール１１上を走行し、回転自在なパレットフレーム内に回転自在に設けられたピンロール１２がこのカウンタースラストロール１１に係合できるので、ピンロールはペーパーウェブに、その面積全体又はストリップ状に、ペーパーウェブから製造された袋の通気に役立つ小穴又はピンホールを形成する。個々のペーパーウェブ５〜５′″の小穴はペーパーウェブの丁合い後は整列していないので、空気は逃げ出るが、袋詰されたものは漏れ出ないラビリンス状の通気路が形成されている。
タレット内におけるピンロールの回転自在な取付け方式は、ピンロールのピンがなまくらになったとき、又はペーパーウェブの異なる領域に穴開けしようとするとき、ピンロールの迅速な交換又は取替えに役立つ。
ピンロールから来たペーパーウェブは、カウンタースラストロール２１と係合状態のナイフロール２０に至る。ナイフロール２０及びカウンタースラストロール２１については、図２〜図６を参照して詳細に説明する。スタンド８から来た小穴及び横断方向ミシン目切取り線入りペーパーウェブは、スタンド２２に至り、この中でペーパーウェブ５，５′，５″には、横断方向ミシン目の各側で、グルー塗布ロール２３により横断方向に延びるグルーストリップが被着される。
次に、グルー領域が設けられたペーパーウェブを、曲げロール２４を用いて個々のペーパーウェブが互いに対し側方へずれるような仕方で後述のように一緒に導く。次に、オーバーラップしていない側方領域に、グルー塗布ディスク２５によって長手方向に延びるグルー領域又はパッチを被着させる。次に、ペーパーウェブを筒状ブランク形成ステーション２６内で折り曲げて筒状紙材が得られる。つまり、紙は、長手方向グルー領域が設けられているので、一枚一枚それ自体に接着され、かかる管状ブランク又はホースが製造されると共に互いに包囲している紙の筒状ブランクがペーパーウェブから製造されるようになる。このようにして製造された紙筒は次に、公知の方法で前方送りユニット２７に至り、この前方送りユニットは紙筒を保持した状態で所定の前進速度で前方に引っ張る。この前方送りユニット２７の後には高速で回転している引裂きユニット２８が設けられており、この引裂きユニットはミシン目切取り線に沿って紙を切り離し、したがって個々の筒状ブランクを連続筒状ウェブから引き裂き、次にかかるブランクを加工して袋を製造する。前方送りユニット２７は引裂きユニット２８と共に公知設計のものであるので本明細書では詳細に説明する必要はないであろう。
次に、図２〜図６を参照してナイフロール２０について詳細に説明する。
ナイフロール２０は、フレーム８の側部３１，３２内に図示のように設けられている減摩軸受を用いて回転自在に設けられた中空シャフト３０を有する。ナイフロールのシャフト３０の左側端部には駆動プーリー３３が設けられ、この駆動プーリーを介してナイフロールのシャフト３０は、コンピュータによって操作されるステップモータ（図示せず）により駆動される。
中空シャフト３０のボア３４内には、スライディングロッド３５，３６が長手方向摺動自在に設けられており、これらスライディングロッドはその右側端部に親ネジ用ナット３７を支持している。図３を参照して以下に詳細に説明する親ネジ３８は、親ネジ用ナット３７中を動く。
２つのリンク４１，４２，４１′，４２′が、互いに間隔を置いて中空シャフト３０に取り付けられた半径方向ピン４０，４０′に枢着されている。スライディングロッド３５，３６上、即ちこれらを互いに連結する横方向部材上には、ピン４３，４３′が取り付けられており、かかるピンは、中空シャフト３０の壁を博貫通して互いに間隔を置いて設けられたスロット４４，４４′内へ延びている。かかるピン４３，４３′上には、リンク４５，４５′，４６，４６′の内側端部が枢着されている。リンクは、ピボットピン（図示せず）によって継手４７，４８，４７′，４８′に示した方法で互いに関節連結されており、リンク４５，４５′，４６，４６′の外側のアームは、半径方向外方に継手４７，４８，４７′，４８′を越えて延びている。リンクによって構成された拡張式グリルは、ピボットピン４０，４３，４０′，４３′を通って延びる中空シャフトの直径面の回りに左右相称に配置されている。中空シャフト３０は、その両側に互いに整列した状態の拡張式グリルを対応した態様で備えており、拡張式グリルの長い方のリンクの外側端部はそれぞれ、結合箇所５０，５１，５０′，５１′のところでナイフキャリヤ５２，５２′に連結されている。ナイフキャリヤ５２，５２′は、目打ちナイフ５３，５３′を、中空シャフト３０の共通直径面上に位置させた状態に保ち、これら目打ちナイフは、ナイフロール２０とカウンタースラストロール２１との間で走行しているペーパーウェブにミシン目を入れる。カウンタースラストロール２１は、フレーム８内に調整自在に設けられており、ミシン目を入れるために目打ちナイフが突き刺さる弾性ケーシング５５を備えている。次に、ナイフロールの調整機構を図３を参照して詳細に説明する。中空シャフト３０の右側端部は、軸受ブッシュ５７内に設けられている減摩軸受５６によって回転自在に設けられ、この軸受ブッシュはフレーム８の側壁３２内に固定されている。軸受５６を越えて延びる中空シャフトの端部には、ディスク５８が固定され、このディスクは円筒形セグメントの形態のハウジング部分５９を支持し、このハウジング部分５９はその右側端部に、内縁部が貫通開口６１を構成している内側に向いた環状肩（以下、「環状カウンター肩」という場合がある）６０を備えている。ディスク５８の中央の支承穴には、親ネジ３８が減摩軸受６２によって自由回転自在に設けられている。ディスク５８の内側部に隣接して、親ネジは環状カラー６３を備え、この環状カラーにより親ネジ３８はディスク５８に摺動的に当接できる。滑り軸受手段に代えて、減摩軸受から成るスラスト軸受を使用してもよい。
親ネジ３８はその右端部に、長手方向に延びるキー溝６６を備えた平滑な壁付きジャーナル部６５又はトラニオンを有している。ブッシュ６７がシャフト部分６５上で、非回転状態で軸方向に動くことができ、かかるブッシュはまた、キー溝を有し、キーが整列状態のキー溝内で相対回転を防止する手段として配置されている。ブッシュ６７はその内側に、フランジの形態に拡大されたリング６８を備えている。ハウジング５９の環状カウンター肩６０とブッシュ６７の環状カラー又は環状肩のような拡大部分６８との間には、ブレーキリング６９が配置されている。親ネジ３８は、ピン６５に続く部分としてネジ付き部分７０を備えており、このネジ付き部分には、止めナットとして互いに協働する２つのナット７１，７２が螺着されている。ナット７１，７２とブッシュ６７との間で、ジャーナル部又はピン６５を包囲して圧縮バネ７３が設けられており、この圧縮バネはブッシュ６７を外方に付勢し、それにより環状カウンター肩６０に対してブレーキ作用を及ぼす。圧縮バネ７３の付勢作用を調整するために、２つの止めナット７１，７２を調整するのが良い。ブッシュ６７は穴６１を貫通し、そしてその環状終端面に漏斗状の拡大受入れ穴７５を有しており、この穴７５内に結合部材７７の爪７６が嵌まり込むことができる。結合部材７７は、加圧下の流体によって操作されるピストン・シリンダユニット７９のピストンロッド７８に対して相対回転を防止するような仕方で配置されており、このピストンシリンダユニットはクランク状支持部材７４を介して軸受ブッシュ５７に連結されている。ピストンロッド７８はシリンダ７９内を非回転状態で動く。
ナイフキャリヤ５２，５２′と中空シャフト３０との間の半径方向隙間を調整するため、コンピュータによって操作されるステップモータを、結合部材７７のピン７６が凹部７５と整列する位置に回転させる。次に、ピストンロッド７８を軸方向外方へ動かして相対回転しないようブッシュ６７を結合部材７７に結合させ、結合部材７７がブッシュ６７を左側にシフトさせると、環状カラー６８がブレーキリング６９から離れて中空シャフト３０が親ネジ３８に対して自由に回転できるようになる。この後、中空シャフトをコンピュータ操作式ステップモータによって、ナイフキャリヤ５２，５２′の所望の半径方向設定値に相当する角度、回転させる。所望の調整をいったん行うと、結合部材７７を外方へ動かしてブレーキがかかるようにし、それにより相対回転が防止されるような仕方で親ネジを中空シャフトに再結合させるようにする。
ナイフキャリヤ５２，５２′は、図２に示すように、スイッチング突出部１１０，１１１を備えており、これら突出部はフレームに対して固定されたイニシエータ１１２，１１３と協働してリミットスイッチを構成している。内側イニシエータ１１２はナイフバーの引込み設定値を定め、イニシエータ１１３は最大伸長設定値を定める。
図４には、図２のIV−IV線に沿って見たナイフキャリヤ５２の断面が示されている。ナイフキャリヤは少なくとも、図５に示すように両側に２つの支承フォークを形成する支承部材８０，８１，８０′，８１′を備えており、シャフト８２，８２′が支承部材に設けられた穴の中に保持状態で設けられ、クランク状把持レバー又はベルクランク８３，８３′がシャフト８２，８２′に回動自在に取り付けられている。回動レバー８３，８３′は、ナイフキャリヤ５２とオーバーラップするアーム８４，８４′を有し、円筒形シェルの形態のバー８５をナイフキャリヤ５２に対し把持状態に保持しており、かかるバー８５の中央には目打ちナイフ５３が取り付けられている。バー８５をナイフキャリヤに正しく係合させるようにするために、ナイフキャリヤは上部の形状が全体的に台形になっている。把持レバーのアーム８４，８４′は、穴８６，８６′を備え、これらの穴の中には圧縮バネ８７，８７′が収納保持され、その一方の端は穴の底に当接し、他方の端はナイフキャリヤの側部に当接している。
ナイフキャリヤ５２はその下側に溝状の凹部を備え、この中をスライダ９０が走行する。このスライダはその下側に間隔を置いて設けられたピン又は係止ロッド９１を支持し、かかるピンの終端ジャーナル部には、自由に回転できる回転ランナー９２，９２′が設けられている。ナイフキャリヤ５２は、ランナー９２，９２′又はキャスタの付近に、横断方向に延びる溝９３，９４を備え、把持レバーの内方クランク状アーム９５，９５′がこれらの溝９３，９４を通って延びている。クランク状アームは終端部に、回転ランナー９２，９２′に隣接して位置する楔形傾斜面９６を備え、したがってスライダ９０を適当にシフトさせてかかるランナーをこれら傾斜面上へ押しやることによって、把持レバーは図４に示す位置に拘束される。スライダ９０を反対方向に摺動させることにより、内方クランク状アーム９５，９５′が回転ランナーから離れて圧縮バネ８７，８７′が把持レバーを外方へ回動させ、それに応じてナイフ５３を支持しているバー８５を解除するようになり、このバーは必要な場合には簡単且つ迅速に交換できる。
スライダ９０は図２に示すようにナイフキャリヤ５２，５２′を越えて延び、その端部にはクランク状部分９９が設けられ、圧縮バネ１００がクランク状部分とナイフキャリヤ５２の端面との間にクランプされた状態で保持され、かかる圧縮バネはスライダ９０を、把持レバーを解除する位置に付勢している。スライダ９０はその反対側もナイフキャリヤ５２を越えて延びている。その反対側にはレバー１０２が回動自在に取り付けられ、このレバー１０２は上方に延びる自由端部に回転ランナー１０３を備えている。ナイフキャリヤ５２の右側終端面は、スライダ９０と隣接した側に当接部１０４を備え、圧縮バネ１００によって付勢された状態のスライダはこの当接部に当たって、図５に示すように把持レバー８３，８３′を係止する完全中央通り越し位置に保持される。把持レバーを解除するためには、係止レバー１０２を図５に示すその位置から反時計回りに動かして、ついには、これがスライダ９０を解除するようにする。当接部１０６がスライダ９０に設けられており、この当接部はナイフキャリヤ内へのスライダの移動量を制限する。この内方移動量は一般に、傾斜面９６の長さに等しく、したがって拘束レバー１０２によって解除されたスライダは圧縮バネ１００によって左側へシフトされて、把持レバー８３，８３′がナイフレバー８５を解除する位置に至るようになる。
【図１】
0004090074.tif 000002
【図２】
0004090074.tif 000003
【図３】
0004090074.tif 000004
【図４】
0004090074.tif 000005
【図５】
0004090074.tif 000006
【図６】
0004090074.tif 000007